【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
接着剤組成物であって、
（ａ）第１の構成要素であって、前記第１の構成要素が、
（１）水不溶性であり、
（２）３００ｋＤａと１０００ｋＤａとの間（終点を含む）の分子量を有する、第１の構成要素；
（ｂ）第２の構成要素であって、前記第２の構成要素が、
（１）水不溶性であり、
（２）２０ｋＤａと３５ｋＤａとの間（終点を含む）の分子量を有する、第２の構成要素；および
（ｃ）第３の構成要素であって、前記第３の構成要素が、
（１）水溶性であり、
（２）１Ｄａと１９．９ｋＤａとの間（終点を含む）の分子量を有する、第３の構成要素
を含み、
ここで、前記第１の構成要素、前記第２の構成要素、および前記第３の構成要素の各々が、所定の比で存在し、前記比が少なくとも１つの基材への選択的接着のために調整可能である、接着剤組成物。
【請求項２】
前記少なくとも１つの基材が有機構成要素を含む、請求項１に記載の接着剤。
【請求項３】
前記有機構成要素が、繊維、樹脂、ポリマー、複合物、または組織を含む、請求項２に記載の接着剤。
【請求項４】
ｉ）前記有機構成要素が、植物タンパク質もしくは動物タンパク質を含む繊維、例えば、木材、紙、布地、絹もしくはリグノセルロースを含むか、または
ｉｉ）前記ポリマーが、植物ポリマーもしくは動物ポリマー、例えば、セルロース、デンプン、タンパク質、羊毛、毛髪、毛皮、アンゴラ、カシミヤ、モヘア、タンパク質、ケラチンもしくはＤＮＡを含むか、または
ｉｉｉ）前記組織が、植物タンパク質もしくは動物タンパク質、例えば、キノコ、樹木、樹木もしくは植物のパルプ、リグノセルロース、またはこれらの任意の組み合わせから得られるか、調製されるか、由来する組織または皮革を含むか、前記組織が人体または非ヒト身体の任意の組織を含む、請求項３に記載の接着剤。
【請求項５】
前記有機構成要素が炭素からなり、例えば、前記炭素が、結晶性、多結晶性、もしく非結晶性であるか、ならびに／または前記有機構成要素が炭素ナノ構造体および／もしくはグラフェンを含む、請求項２に記載の接着剤。
【請求項６】
前記少なくとも１つの基材が無機構成要素を含み、必要に応じて、前記無機構成要素が、金属、石、結晶、化学物質、ガラス、合金、複合物、またはポリマー、例えば、天然に存在しないポリマーを含み、例えば、
ｉ））前記無機構成要素が化学物質を含み、前記化学物質がメタロイドを含み、例えば、前記メタロイドが、ケイ素、アンチモン、もしくはこれらの誘導体を含み、例えば、前記化学物質が、ケイ素、ホウ素、および窒素を含むか、または
ｉｉ）前記無機構成要素が金属を含み、前記金属がアルカリ金属、アルカリ土類金属、ランタノイド、アクチノイド、遷移金属、ポスト遷移金属、もしくはこれらの任意の組み合わせを含み、例えば、前記金属が、チタン、クロム、鉄、ニッケル、銅、亜鉛、銀、カドミウム、タングステン、白金、金、水銀、アルミニウム、スズ、アンチモン、パラジウム、もしくは鉛のうちの１つもしくは複数を含むか、または
ｉｉｉ）前記無機構成要素が石を含み、前記石が、大理石、花崗岩、石灰岩、粘板岩、シマメノウ、メノウ、砂岩、黒曜石、溶岩石、もしくはトラバーチンを含み、例えば、前記石が複合材料を含み、例えば、前記基材がコンクリートを含むか、または
ｉｖ）前記無機構成要素が結晶を含み、前記結晶が石英もしくは石英複合物を含み、例えば、前記石英または前記石英複合物がケイ素を含むか、もしくは前記結晶が炭酸カルシウムを含み、例えば、前記結晶が方解石を含む、
請求項１に記載の接着剤。
【請求項７】
前記少なくとも１つの基材が湿っているか、および／または汚れているか、および／または液体に浸漬しており、例えば、前記液体が水、海水、生体液、もしくは非ニュートン流体である、請求項１〜６のいずれか１項に記載の接着剤。
【請求項８】
前記少なくとも１つの基材が乾燥している、請求項１〜７のいずれか１項に記載の接着剤。
【請求項９】
前記少なくとも１つの基材が第１の基材および第２の基材であり、例えば、
ｉ）前記第１の基材の表面および前記第２の基材の表面が同一の材料を含むか、または
ｉｉ）前記第１の基材の表面および前記第２の基材の表面が、体積、質量、表面積、寸法、密度、濃度、キャパシタンス、抵抗、磁性、インダクタンス、延性、反射性、脆弱性、脆性、電荷、導電率、インピーダンス、流動性、硬度、放射照度、展性、透過性、空隙率、可塑性、弾性、変形性、繊維性、溶解性、粘性、汚れのレベル、分解レベル、平滑度、組成の均一性、特徴の均一性、および組成からなる群から選択される１つまたは複数の特徴の比較可能な値を有する材料を含むか、または
ｉｉｉ）前記第１の基材の表面および前記第２の基材の表面が同一の材料を含まないか、または
ｉｖ）前記第１の基材の表面および前記第２の基材の表面が、体積、質量、表面積、寸法、密度、濃度、キャパシタンス、抵抗、磁性、インダクタンス、延性、反射性、脆弱性、脆性、電荷、導電率、インピーダンス、流動性、硬度、放射照度、展性、透過性、空隙率、可塑性、弾性、変形性、繊維性、溶解性、粘性、汚れのレベル、分解レベル、平滑度、組成の均一性、特徴の均一性、および組成からなる群から選択される１つまたは複数の特徴の比較可能な値を有する材料を含まない、
請求項１〜８のいずれか１項に記載の接着剤。
【請求項１０】
前記第１の構成要素の比への寄与が、前記第２の構成要素または前記第３の構成要素のいずれかよりも大きく、例えば、
ｉ）前記第２の構成要素の前記比への寄与が、前記第３の構成要素よりも大きいか、または
ｉｉ）前記第３の構成要素の前記比への寄与が、前記第２の構成要素よりも大きい、
請求項１〜９のいずれか１項に記載の接着剤。
【請求項１１】
前記第２の構成要素の前記比への寄与が、前記第１の構成要素または前記第３の構成要素のいずれかよりも大きく、例えば、
ｉ）前記第１の構成要素の前記比への寄与が、前記第３の構成要素よりも大きいか、または
ｉｉ）前記第３の構成要素の前記比への寄与が、前記第１の構成要素よりも大きいか、または
ｉｉｉ）前記第３の構成要素の前記比への寄与が、前記第１の構成要素または前記第２の構成要素のいずれかよりも大きく、例えば、ａ）前記第１の構成要素の前記比への寄与が、前記第２の構成要素よりも大きいか、もしくはｂ）前記第２の構成要素の前記比への寄与が、前記第１の構成要素よりも大きい、
請求項１〜９のいずれか１項に記載の接着剤。
【請求項１２】
前記第１の構成要素、前記第２の構成要素、および前記第３の構成要素の前記比への寄与が等しい、請求項１〜９のいずれか１項に記載の接着剤。
【請求項１３】
前記第１の構成要素が動力学的調節剤であるか、および／または前記第１の構成要素が、タンパク質、繊維、樹脂、抽出物、留出物、もしくはポリマーを含み、
例えば、前記第１の構成要素が、ダイズタンパク質、コメタンパク質、コムギタンパク質、オオムギタンパク質、海藻タンパク質、木部繊維、木粉、セルロース繊維、セルロースナノ繊維、セルロースナノフィブリル、デンプン、ポリサッカリド、絹繊維、絹フィブロイン、キチン、ケラチン、またはキトサンを含み、
必要に応じて、前記第２の構成要素が熱力学的調節剤であるか、または留出物、樹脂、デンプン、ポリサッカリド、抽出物、もしくはタンパク質、例えば、カゼインタンパク質、Κ−カゼインタンパク質、キトサン、キチン、ケラチン、もしくはセリシンタンパク質を含む、請求項１〜１２のいずれか１項に記載の接着剤。
【請求項１４】
前記第３の構成要素の増加が間隙調節剤であるか、および／またはタンパク質、酵素、加水分解物、留出物、もしくは抽出物、ダイズ加水分解物、酵母抽出物、酵母加水分解物、ポリ（ビニル）アルコール、ポリオール、デンプン、アルギン酸塩、もしくは架橋剤を含み、例えば、前記架橋剤が酵素を含み、例えば、前記酵素がトランスグルタミナーゼを含み、例えば、前記トランスグルタミナーゼが、微生物トランスグルタミナーゼから単離、精製、または誘導されており、例えば、前記第３の構成要素がデンプンを含む、
請求項１〜１３のいずれか１項に記載の接着剤。
【請求項１５】
ｉ）前記第１の構成要素：第２の構成要素：第３の構成要素の比が６：６：１であり、例えば、前記第１の構成要素がダイズタンパク質を含み、前記第２の構成要素がカゼインタンパク質を含み、前記第３の構成要素がデンプンを含むか、または
ｉｉ）前記第１の構成要素：第２の構成要素：第３の構成要素の比が４：４：５であり、例えば、前記第１の構成要素がコメタンパク質を含み、前記第２の構成要素がカゼインタンパク質を含み、前記第３の構成要素がデンプン加水分解物を含み、例えば、前記少なくとも１つの基材が紙を含むか、もしくは前記第１の構成要素がコメタンパク質を含み、前記第２の構成要素がカゼインタンパク質を含み、前記第３の構成要素がデンプン加水分解物を含み、前記少なくとも１つの基材が木材を含む、
請求項１〜１４のいずれか１項に記載の接着剤。
【手続補正２】
【補正対象書類名】明細書
【補正対象項目名】０１３２
【補正方法】変更
【補正の内容】
【０１３２】
本開示の特定の実施形態を例示および説明してきたが、本開示の精神および範囲を逸脱することなく、種々の他の変更形態および修正形態が可能である。添付の特許請求の範囲の範囲は、本開示の範囲内のすべてのそのような変更形態および修正形態を含む。
本発明は、例えば、以下の項目を提供する。
(項目１)
接着剤組成物であって、
（ａ）第１の構成要素であって、前記第１の構成要素が、
（１）水不溶性であり、
（２）３００ｋＤａと１０００ｋＤａとの間（終点を含む）の分子量を有する、第１の構成要素；
（ｂ）第２の構成要素であって、前記第２の構成要素が、
（１）水不溶性であり、
（２）２０ｋＤａと３５ｋＤａとの間（終点を含む）の分子量を有する、第２の構成要素；および
（ｃ）第３の構成要素であって、前記第３の構成要素が、
（１）水溶性であり、
（２）１Ｄａと１９．９ｋＤａとの間（終点を含む）の分子量を有する、第３の構成要素
を含み、
ここで、前記第１の構成要素、前記第２の構成要素、および前記第３の構成要素の各々が、所定の比で存在し、前記比が少なくとも１つの基材への選択的接着のために調整可能である、接着剤組成物。
(項目２)
前記少なくとも１つの基材が有機構成要素を含む、項目１に記載の接着剤。
(項目３)
前記有機構成要素が、繊維、樹脂、ポリマー、複合物、または組織を含む、項目２に記載の接着剤。
(項目４)
前記繊維が植物タンパク質を含む、項目３に記載の接着剤。
(項目５)
前記基材が、木材、紙、布地、またはリグノセルロースを含む、項目４に記載の接着剤。
(項目６)
前記繊維が動物タンパク質を含む、項目３に記載の接着剤。
(項目７)
前記基材が絹を含む、項目８または９に記載の接着剤。
(項目８)
前記ポリマーが植物ポリマーを含む、項目３に記載の接着剤。
(項目９)
前記基材が、セルロース、デンプン、タンパク質、またはＤＮＡを含む、項目８に記載の接着剤。
(項目１０)
前記ポリマーが動物ポリマーを含む、項目３に記載の接着剤。
(項目１１)
前記基材が、羊毛、毛髪、毛皮、アンゴラ、カシミヤ、モヘア、タンパク質、ケラチン、またはＤＮＡを含む、項目１０に記載の接着剤。
(項目１２)
前記組織が植物タンパク質を含む、項目３に記載の接着剤。
(項目１３)
前記基材が、キノコ、樹木、樹木もしくは植物のパルプ、リグノセルロース、またはこれらの任意の組み合わせから得られるか、調製されるか、由来する組織を含む、項目１２に記載の接着剤。
(項目１４)
前記組織が動物タンパク質を含む、項目３に記載の接着剤。
(項目１５)
前記基材が皮革を含む、項目１４に記載の接着剤。
(項目１６)
前記組織が人体の任意の組織を含む、項目１４に記載の接着剤。
(項目１７)
前記組織が非ヒト身体の任意の組織を含む、項目１４に記載の接着剤。
(項目１８)
前記有機構成要素が炭素からなる、項目２に記載の接着剤。
(項目１９)
前記炭素が、結晶性、多結晶性、または非結晶性である、項目１８に記載の接着剤。
(項目２０)
前記有機構成要素が炭素ナノ構造体を含む、項目１８または１９に記載の接着剤。
(項目２１)
前記有機構成要素がグラフェンを含む、項目１８〜２０のいずれか１項に記載の接着剤。
(項目２２)
前記少なくとも１つの基材が無機構成要素を含む、項目１に記載の接着剤。
(項目２３)
前記無機構成要素が、金属、石、結晶、化学物質、ガラス、合金、複合物、またはポリマーを含む、項目２２に記載の接着剤。
(項目２４)
前記化学物質がメタロイドを含む、項目２３に記載の接着剤。
(項目２５)
前記メタロイドが、ケイ素、アンチモン、またはこれらの誘導体を含む、項目２４に記載の接着剤。
(項目２６)
前記化学物質が、ケイ素、ホウ素、および窒素を含む、項目２４または２５に記載の接着剤。
(項目２７)
前記ポリマーが天然に存在しない、項目２３に記載の接着剤。
(項目２８)
前記金属が、アルカリ金属、アルカリ土類金属、ランタノイド、アクチノイド、遷移金属、ポスト遷移金属、またはこれらの任意の組み合わせを含む、項目２３に記載の接着剤。
(項目２９)
前記金属が、チタン、クロム、鉄、ニッケル、銅、亜鉛、銀、カドミウム、タングステン、白金、金、水銀、アルミニウム、スズ、アンチモン、パラジウム、または鉛のうちの１つまたは複数を含む、項目２３または２８に記載の接着剤。
(項目３０)
前記石が、大理石、花崗岩、石灰岩、粘板岩、シマメノウ、メノウ、砂岩、黒曜石、溶岩石、またはトラバーチンを含む、項目２３に記載の接着剤。
(項目３１)
前記石が複合材料を含む、項目２３に記載の接着剤。
(項目３２)
前記基材がコンクリートを含む、項目３０または３１に記載の接着剤。
(項目３３)
前記結晶が、石英または石英複合物を含む、項目２３に記載の接着剤。
(項目３４)
前記石英または前記石英複合物がケイ素を含む、項目３３に記載の接着剤。
(項目３５)
前記結晶が炭酸カルシウムを含む、項目２３に記載の接着剤。
(項目３６)
前記結晶が方解石を含む、項目３５に記載の接着剤。
(項目３７)
前記少なくとも１つの基材が湿っている、項目１〜３６のいずれか１項に記載の接着剤。
(項目３８)
前記少なくとも１つの基材が汚れている、項目１〜３７のいずれか１項に記載の接着剤。
(項目３９)
前記少なくとも１つの基材が液体に浸漬している、項目１〜３８のいずれか１項に記載の接着剤。
(項目４０)
前記液体が水である、項目３９に記載の接着剤。
(項目４１)
前記液体が海水である、項目３９に記載の接着剤。
(項目４２)
前記液体が生体液である、項目３９に記載の接着剤。
(項目４３)
前記液体が非ニュートン流体である、項目３９に記載の接着剤。
(項目４４)
前記少なくとも１つの基材が乾燥している、項目１〜３６のいずれか１項に記載の接着剤。
(項目４５)
前記少なくとも１つの基材が第１の基材および第２の基材である、項目１〜４３のいずれか１項に記載の接着剤。
(項目４６)
前記第１の基材の表面および前記第２の基材の表面が同一の材料を含む、項目４５に記載の接着剤。
(項目４７)
前記第１の基材の表面および前記第２の基材の表面が、体積、質量、表面積、寸法、密度、濃度、キャパシタンス、抵抗、磁性、インダクタンス、延性、反射性、脆弱性、脆性、電荷、導電率、インピーダンス、流動性、硬度、放射照度、展性、透過性、空隙率、可塑性、弾性、変形性、繊維性、溶解性、粘性、汚れのレベル、分解レベル、平滑度、組成の均一性、特徴の均一性、および組成からなる群から選択される１つまたは複数の特徴の比較可能な値を有する材料を含む、項目４５に記載の接着剤。
(項目４８)
前記第１の基材の表面および前記第２の基材の表面が同一の材料を含まない、項目４５に記載の接着剤。
(項目４９)
前記第１の基材の表面および前記第２の基材の表面が、体積、質量、表面積、寸法、密度、濃度、キャパシタンス、抵抗、磁性、インダクタンス、延性、反射性、脆弱性、脆性、電荷、導電率、インピーダンス、流動性、硬度、放射照度、展性、透過性、空隙率、可塑性、弾性、変形性、繊維性、溶解性、粘性、汚れのレベル、分解レベル、平滑度、組成の均一性、特徴の均一性、および組成からなる群から選択される１つまたは複数の特徴の比較可能な値を有する材料を含まない、項目４５に記載の接着剤。
(項目５０)
前記第１の構成要素の比への寄与が、前記第２の構成要素または前記第３の構成要素のいずれかよりも大きい、項目１〜４９のいずれか１項に記載の接着剤。
(項目５１)
前記第２の構成要素の前記比への寄与が、前記第３の構成要素よりも大きい、項目５０に記載の接着剤。
(項目５２)
前記第３の構成要素の前記比への寄与が、前記第２の構成要素よりも大きい、項目５０に記載の接着剤。
(項目５３)
前記第２の構成要素の前記比への寄与が、前記第１の構成要素または前記第３の構成要素のいずれかよりも大きい、項目１〜４９のいずれか１項に記載の接着剤。
(項目５４)
前記第１の構成要素の前記比への寄与が、前記第３の構成要素よりも大きい、項目５３に記載の接着剤。
(項目５５)
前記第３の構成要素の前記比への寄与が、前記第１の構成要素よりも大きい、項目５３に記載の接着剤。
(項目５６)
前記第３の構成要素の前記比への寄与が、前記第１の構成要素または前記第２の構成要素のいずれかよりも大きい、項目１〜４９のいずれか１項に記載の接着剤。
(項目５７)
前記第１の構成要素の前記比への寄与が、前記第２の構成要素よりも大きい、項目５６に記載の接着剤。
(項目５８)
前記第２の構成要素の前記比への寄与が、前記第１の構成要素よりも大きい、項目５６に記載の接着剤。
(項目５９)
前記第１の構成要素、前記第２の構成要素、および前記第３の構成要素の前記比への寄与が等しい、項目１〜４９のいずれか１項に記載の接着剤。
(項目６０)
前記第１の構成要素が動力学的調節剤である、項目１〜５９のいずれか１項に記載の接着剤。
(項目６２)
前記第１の構成要素が、タンパク質、繊維、樹脂、抽出物、留出物、またはポリマーを含む、項目１〜６０のいずれか１項に記載の接着剤。
(項目６３)
前記第１の構成要素が、ダイズタンパク質、コメタンパク質、コムギタンパク質、オオムギタンパク質、海藻タンパク質、木部繊維、木粉、セルロース繊維、セルロースナノ繊維、セルロースナノフィブリル、デンプン、ポリサッカリド、絹繊維、絹フィブロイン、キチン、ケラチン、またはキトサンを含む、項目６２に記載の接着剤。
(項目６４)
前記第１の構成要素がダイズタンパク質を含む、項目６２に記載の接着剤。
(項目６５)
前記第２の構成要素が熱力学的調節剤である、項目１〜６４のいずれか１項に記載の接着剤。
(項目６６)
前記第２の構成要素が、タンパク質、留出物、樹脂、デンプン、ポリサッカリド、または抽出物を含む、項目１〜６５のいずれか１項に記載の接着剤。
(項目６７)
前記第２の構成要素が、カゼインタンパク質、Κ−カゼインタンパク質、キトサン、キチン、ケラチン、またはセリシンタンパク質を含む、項目６６に記載の接着剤。
(項目６８)
前記第２の構成要素がカゼインタンパク質を含む、項目６６に記載の接着剤。
(項目６９)
前記第３の構成要素の増加が間隙調節剤である、項目１〜６８のいずれか１項に記載の接着剤。
(項目７０)
前記第３の構成要素が、タンパク質、酵素、加水分解物、留出物、または抽出物を含む、項目１〜６９のいずれか１項に記載の接着剤。
(項目７１)
前記第３の構成要素が、ダイズ加水分解物、酵母抽出物、酵母加水分解物、ポリ（ビニル）アルコール、ポリオール、デンプン、アルギン酸塩、または架橋剤を含む、項目７０に記載の接着剤。
(項目７２)
前記架橋剤が酵素を含む、項目７１に記載の接着剤。
(項目７３)
前記酵素がトランスグルタミナーゼを含む、項目７２に記載の接着剤。
(項目７４)
前記トランスグルタミナーゼが、微生物トランスグルタミナーゼから単離、精製、または誘導されている、項目７３に記載の接着剤。
(項目７５)
前記第３の構成要素がデンプンを含む、項目７４に記載の接着剤。
(項目７６)
前記第１の構成要素：第２の構成要素：第３の構成要素の比が６：６：１である、項目１〜７５のいずれか１項に記載の接着剤。
(項目７７)
前記第１の構成要素がダイズタンパク質を含み、前記第２の構成要素がカゼインタンパク質を含み、前記第３の構成要素がデンプンを含む、項目１〜７６のいずれか１項に記載の接着剤。
(項目７８)
前記第１の構成要素：第２の構成要素：第３の構成要素の比が４：４：５である、項目１〜７５のいずれか１項に記載の接着剤。
(項目７９)
前記第１の構成要素がコメタンパク質を含み、前記第２の構成要素がカゼインタンパク質を含み、前記第３の構成要素がデンプン加水分解物を含む、項目１〜７８のいずれか１項に記載の接着剤。
(項目８０)
前記少なくとも１つの基材が紙を含む、項目７８または７９に記載の接着剤。
(項目８１)
前記第１の構成要素がダイズタンパク質を含み、前記第２の構成要素がカゼインタンパク質を含み、前記第３の構成要素がデンプン加水分解物を含む、項目１〜７８のいずれか１項に記載の接着剤。
(項目８２)
前記少なくとも１つの基材が木材を含む、項目７８または８１に記載の接着剤。